(57)【要約】
【課題】塵、埃、花粉、微生物等を充分に良好に捕捉できるようにする。
【解決手段】外側不織布５と、中間不織布６と、口元側不織布７が、外側から口元側に向かって、上記の順で並設されることで、マスク本体１が構成されて、外側不織布５、中間不織布６及び口元側不織布７の外周部が、熱接着により、一体化されると共に、外側不織布５、又は、口元側不織布７の外周部に、左右一対の耳掛けが熱接着され、中間不織布６の糸密度が外側不織布５よりも密とされている。
【選択図】図３
0003101268.tif 000002
【実用新案登録請求の範囲】
【請求項１】
外側不織布と、中間不織布と、口元側不織布が、外側から口元側に向かって、上記の順で並設されることで、マスク本体が構成され、
中間不織布の糸密度が外側不織布よりも密とされた衛生マスク。
【請求項２】
外側不織布、中間不織布及び口元側不織布の外周部が、熱接着により、一体化されると共に、
外側不織布、又は、口元側不織布の外周部に、左右一対の耳掛けが熱接着された請求項１記載の衛生マスク。
【請求項３】
外側不織布及び口元側不織布がエアースルー不織布、スパンボンド不織布、又は、スパンレース不織布とされ、
中間不織布が、繊維の直径が０．５〜４μｍで且つ厚みが０．０８〜０．３ｍｍのメルトブロー不織布とされた請求項１又は２記載の衛生マスク。
【考案の詳細な説明】
【技術分野】
【０００１】
本考案は、鼻と口を覆って、塵、埃、花粉、微生物等の捕捉、喉の保護、治療や消毒等の衛生作業、料理や給食等に使用される衛生マスクに関する。
【背景技術】
【０００２】
近年、衛生マスクのマスク本体を、合成樹脂素材からなる不織布製としたものが提案されている。このものは、マスク本体がガーゼ製であるものに比較して、通気性が良く、衛生マスクの着用時に、息苦しさや喋り難さがないと共に、塵、埃、花粉、微生物等を良好に捕捉できる利点がある。
【０００３】
ところで、上記従来の衛生マスクとしては、マスク本体が、単に、外側不織布と口元側不織布から成る２プライ構造とされて、これら不織布として、糸密度が疎であるものが使用されるか、又は、上記外側不織布と口元側不織布間に、糸密度が密な不織布が介装された３プライ構造のものが使用されていた。
【０００４】
しかし、上記従来の何れの衛生マスクも、塵、埃、花粉、風邪のウィルス等の微生物等の捕捉が今一つ充分ではなく、この点に関する改善が要望されていた。
【考案の開示】
【考案が解決しようとする課題】
【０００５】
解決しようとする問題点は、塵、埃、花粉、微生物等の捕捉が今一つ充分ではなかった点である。
【課題を解決するための手段】
【０００６】
本考案は上記問題点を解決したもので、その特徴とするところは、外側不織布と、中間不織布と、口元側不織布が、外側から口元側に向かって、上記の順で並設されることで、マスク本体が構成され、中間不織布の糸密度が外側不織布よりも密とされた点にある。
尚、外側不織布、中間不織布及び口元側不織布の外周部が、熱接着により、一体化されると共に、外側不織布、又は、口元側不織布の外周部に、左右一対の耳掛けが熱接着されることもある。
更に、外側不織布及び口元側不織布がエアースルー不織布、スパンボンド不織布、又は、スパンレース不織布とされ、中間不織布が、繊維の直径が０．５〜４μｍで且つ厚みが０．０８〜０．３ｍｍのメルトブロー不織布とされることもある。
【考案の効果】
【０００７】
本考案によれば、下記の効果を奏する。
Ａ．衛生マスクが、外側・中間・口元側不織布から成り、中間不織布の糸密度が外側不織  布よりも密であるので、塵、埃、花粉、風邪のウィルス等の微生物等を充分に良好に捕  捉できると共に、大きな塵や埃は外側不織布で捕捉され、それよりも小さな塵、埃、花  粉、微生物は中間不織布で捕捉されるというように、マスク本体により、塵、埃、花粉  、微生物等を効率的に捕捉できる。
Ｂ．衛生マスクのプライ数を少なくできると共に、各プライが不織布から成るので、通気  性が良く、衛生マスクの着用時に、息苦しさや喋り難さがない。
請求項２記載の考案によれば、外側・中間・口元側不織布が、熱接着により、一体化されると共に、外側不織布、又は、口元側不織布の外周部に、左右一対の耳掛けが熱接着されたので、衛生マスクを容易に製造できる。
請求項３記載の考案では、外側・口元側不織布として、厚みが充分にあるエアースルー不織布を使用すれば、衛生マスクのボリューム感を向上でき、又、外側・口元側不織布として、強度が充分にあるスパンボンド不織布を使用すれば、衛生マスクの強度を向上でき、更に、外側・口元側不織布として、肌触りの良いスパンレース不織布を使用すれば、衛生マスクの肌触りを向上できる。
又、中間不織布として、繊維の直径が０．５〜４μｍで且つ厚みが０．０８〜０．３ｍｍのメルトブロー不織布、即ち、繊維が極細で、糸密度が密なメルトブロー不織布を使用しているので、塵、埃、花粉、微生物等を更に良好に捕捉できる。
【考案を実施するための最良の形態】
【０００８】
本考案は、塵、埃、花粉、微生物等を充分に良好に捕捉できる衛生マスクを提供する。
【実施例１】
【０００９】
以下、本考案の実施例を図面に基づき説明すると、衛生マスクは、マスク本体１と、ノーズワイヤ２と、左右一対の耳掛け３を有する。
【００１０】
マスク本体１は、鼻、口、顎を覆うもので、合成樹脂製とされた外側・中間・外側不織布５〜７を有する３プライ（層）構造とされて、これらが、外側から口元側に向かって、上記の順で並設されると共に、これら外周部が超音波による熱接着（ヒートシール）９により一体化されている。このように、マスク本体１を超音波による熱接着により一体化しているので、マスク本体１を容易に製造できる。マスク本体１の上下方向中央部には、立体的な複数のギャザー（プリーツ）１０が左右方向に配設されており、衛生マスクの着用時に、ギャザー１０を広げることで、マスク本体１による、鼻や口の圧迫が抑制され、これにより、息苦しさや喋り難さが軽減される。
【００１１】
外側・口元側不織布５，７は、厚みのあるフィルターとされて、中間不織布６よりも厚くされており、塵、埃、花粉、微生物等の捕捉を行なうフィルター機能と、マスク本体１に厚み（ボリューム感）や強度を持たせる機能を有する。外側・口元側不織布５，７では、フィルター機能よりも、マスク本体１に厚みや強度を持たせる機能が優先されており、この観点から、外側・口元側不織布５，７としては、厚み（ボリューム感）が充分にあり且つ通気性が良好なエアースルー不織布や、強度が充分にあるスパンボンド不織布が好ましいが、外側・口元側不織布５，７として、肌触りの良いスパンレース不織布を使用しても良い。尚、上記では、口元側不織布７を厚みのあるフィルターとして、口元側不織布７に、フィルター機能や、マスク本体１に厚み（ボリューム感）や強度を持たせる機能を持たせたが、そのようにしなくてもよい。
【００１２】
中間不織布６は、塵、埃、花粉、微生物等の捕捉を行なうフィルター機能を、主要な機能として有するもので、この観点から、中間不織布６としては、繊維が（超）極細で、糸密度が密である（換言すれば、「布目が細かい」、更に、換言すれば、「通過可能な粒子の大きさが小さい）メルトブロー不織布が好ましい。尚、メルトブロー不織布としては、繊維の直径が０．５〜４μｍで、厚みが０．０８〜０．３ｍｍのものが好ましい。又、中間不織布６の糸密度は、外側・口元側不織布５，７よりも密とされている（換言すれば、「布目が細かくされている」、更に、換言すれば、「通過可能な粒子の大きさが小さくされている」）。
【００１３】
ノーズワイヤ２は、マスク本体１を着用者の鼻の形にフィットさせるもので、これにより、衛生マスクの着用時に、マスク本体１がずれ難くなると共に、鼻の側方側の隙間も略閉塞される。ノーズワイヤ２は、例えば、外側・中間不織布５，６の上端部間、又は、中間・口元側不織布６，７の上端部間に介装されて、マスク本体１内の上端部に左右方向に配設されている。ノーズワイヤ２は、マスク本体１の熱接着時に、マスク本体１における、ノーズワイヤ２周辺部が熱接着されることで、マスク本体１に固定される。ノーズワイヤ２としては、例えば、軟質の針金、プラスチック樹脂等が使用される。
【００１４】
耳掛け３は、マスク本体１の左右両端部に備えられるもので、マスク本体１の熱接着時に、外側不織布５，又は、口元側不織布７の左右両端部の裏面、又は、表面に熱接着されている。このように、耳掛け３をマスク本体１に超音波により熱接着しているので、耳掛け３をマスク本体１に容易に取り付けることができる。耳掛け３としては、例えば、スパンデックス（ポリウレタン）製の伸縮性を有し且つ断面略長方形状の平たい紐が使用されている。このように、平たい紐を使用すれば、上記熱接着時に、耳掛け３と口元側不織布７の接触面積を大とでき、両者を良好に熱接着できる。尚、耳掛け３として、スパンデックス製のものを使用すると、ゴム製のものを使用した場合に比較して、上記熱接着時に、傷付き難く、強度が弱くならないと共に、繰り返し伸縮させても、弾力性が失われにくい。又、耳掛け３として、スパンデックス製の平たい紐を使用すれば、衛生マスクの着用時に、耳掛け３がソフトに着用者の肌に当たり、付け心地が良好である。
【００１５】
上記構成例によれば、下記の効果がある。
Ａ．衛生マスクが、外側・中間・口元側不織布５〜７から成ると共に、中間不織布６の糸  密度が外側不織布５よりも密であるので、塵、埃、花粉、風邪のウィルス等の微生物等  を充分に良好に捕捉できると共に、大きな塵や埃は外側不織布５で捕捉され、それより  も小さな塵、埃、花粉、微生物は中間不織布６で捕捉されるというように、マスク本体  １により、塵、埃、花粉、微生物等を効率的に捕捉できる。
Ｂ．中間不織布６として、繊維の直径が０．５〜４μｍで且つ厚みが０．０８〜０．３ｍ  ｍのメルトブロー不織布、即ち、繊維が極細で、糸密度が密なメルトブロー不織布を使  用すれば、塵、埃、花粉、微生物等を更に良好に捕捉できる。尚、中間不織布６として  上記のようなメルトブロー不織布を使用して、微粒子の捕捉試験を行なったところ、０  ．１μｍの微粒子を９９％以上捕捉できたとの試験結果を得た。
Ｃ．衛生マスクが、３プライ構造で、プライ数が少ないと共に、各プライが不織布５〜７  であるので、通気性が良く、衛生マスクの着用時に、息苦しさや喋り難さがない。
Ｄ．外側・口元側不織布５，７を中間不織布６よりも厚くし、外側・口元側不織布５，７  として、厚みのあるものを使用しているので、衛生マスクのボリューム感、強度を向上  できる。
Ｅ．外側・口元側不織布５，７として、厚みが充分にあるエアースルー不織布を使用すれ  ば、衛生マスクのボリューム感を向上でき、又、外側・口元側不織布５，７として、強  度が充分にあるスパンボンド不織布を使用すれば、衛生マスクの強度を向上でき、更に  外側・口元側不織布５，７として、肌触りの良いスパンレース不織布を使用すれば、衛  生マスクの肌触りを向上できる。
【００１６】
尚、上記実施例では、中間不織布を一枚としたが、複数枚としてもよく、又、中間プライに、上記以外の不織布や、その他のフィルターや布（生地）等を付加してもよい。
【図面の簡単な説明】
【００１７】
【図１】本考案の一実施例を示す斜視図である。
【図２】図１の背面図である。
【図３】図２のＡ−Ａ線矢視断面図である。
【符号の説明】
【００１８】
１  マスク本体
３  耳掛け
５〜７  外側・中間・口元側不織布
９  熱接着
【図１】
0003101268.tif 000003
【図２】
0003101268.tif 000004
【図３】
0003101268.tif 000005